(57)【要約】【課題】粉状入浴剤が浴湯に投入しやすく、保存中に固結が起こりにくいようにした入浴用製品を提供すること。【解決手段】テトラパック型包装体に粉状入浴剤を収納した入浴用製品であって、前記の粉状入浴剤は２０メッシュをパスし、かつ９０重量％以上が１５０メッシュにオンする粒径からなることを特徴とする入浴用製品。前記入浴用製品は、少なくとも３０％の空隙をもたせてテトラパック型包装体に粉状入浴剤を収納したことが好ましい。【選択図】      なし【特許請求の範囲】
【請求項１】
テトラパック型包装体に粉状入浴剤を収納した入浴用製品であって、前記の粉状入浴済は２０メッシュをパスし、かつ９０重量％以上が１５０メッシュにオンする粒径からなることを特徴とする入浴用製品。
【請求項２】
少なくとも３０％の空隙をもたせてテトラパック型包装体に粉状入浴剤を収納したことを特徴とする請求項１記載の入浴用製品。
【発明の詳細な説明】
【０００１】
【発明の属する技術分野】
本発明は、入浴用製品に関し、詳しくは、テトラパック型包装体に粉状入浴剤を収納した入浴用製品であって、前記の粉状入浴剤が浴湯に投入しやすく、保存中に固結が起こりにくいようにした入浴用製品に関する。
【０００２】
【従来の技術】
従来、アルミ蒸着したフィルム等の分包袋に粉状入浴剤を収納した入浴用製品が知られている。前記の入浴用製品は分包袋毎に適量の粉状入浴剤が収納されていることから、使用時に計量する必要がなく、使い勝手がよいなどのメリットがある（例えば、特許文献１参照。）。
【０００３】
一方、粉状入浴剤を浴湯に投入する際に、分包袋の開口部からスムーズに出ないで開口部周囲に付着したり、粉状入浴剤が保存中に固結して分包袋内に残るなどの問題があった。
【特許文献１】
実開昭６４−１４０９２号公報（第８図）
【０００４】
【発明が解決しようとする課題】
本発明は、前記の現状を鑑みてなされたものであり、粉状入浴剤が浴湯に投入しやすく、保存中に固結が起こりにくいようにした入浴用製品を提供することを目的とする。
【０００５】
【課題を解決するための手段】
本発明者らは前記の課題を満足するために鋭意検討した結果、特定の粒径からなる粉状入浴剤を適度の空隙をもたせてテトラパック型包装体に収納することによって、前記の課題を満足できることを見出し本発明に至った。すなわち本発明は以下の入浴用製品により達成されるものである。
（１）テトラパック型包装体に粉状入浴剤を収納した入浴用製品であって、前記の粉状入浴剤は２０メッシュをパスし、かつ９０重量％以上が１５０メッシュにオンする粒径からなることを特徴とする入浴用製品。
（２）少なくとも３０％の空隙をもたせてテトラパック型包装体に粉状入浴剤を収納したことを特徴とする（１）記載の入浴用製品。
【０００６】
【発明の実施の形態】
本発明の入浴用製品について説明すると、先ず所期の入浴剤の成分からＪＩＳ標準ふるいを用いて、１００重量％（全量）が２０メッシュ（８５０μｍ）をパスし、９０重量％以上が１５０メッシュ（１０６μｍ）にオンする粒径のものを選別し、所期の配合比率として混合攪拌して粉状入浴剤とする。また所期の入浴剤の成分を混合攪拌してから、ＪＩＳ標準ふるいを用いて粒径を選別してもよい。なお本発明の粉状入浴剤は前記のものの他に、公知の造粒方法、粉砕方法等によって本発明の粒径とした顆粒剤、粉末剤、微細粒剤等であってもよい。又、ミカン等の果実、生薬等の植物の葉、茎、根等の部位を粉砕して本発明の粒径としたものであってもよい。
【０００７】
次に前記の粉状入浴剤をテトラパック包装体の形成時に収納して入浴用製品とする。テトラパック包装体のサイズは一辺が６〜１０ｃｍ（容積が２５〜１２０ｃｍ３）程度とすると扱いやすく、置いた時に安定感があるのでよい。この場合に適度の空隙をもたせて収納させるために、粉状入浴剤は２５〜５０ｇ程度とするのがよく、さらには空隙が３０〜７０％となるように粉状入浴剤の収納量を調整するのがよい。
【０００８】
前記のテトラパック包装体の材質としては、パルプ、プラスチックフィルム等が挙げられるが、アルミ蒸着フィルム、シリカ蒸着フィルム、ＰＰアルミ蒸着フィルム、ＰＰシリカ蒸着フィルム等が保存中に粉状入浴剤の固結が起こりにくいことからよい。
【０００９】
本発明の入浴用製品は、粉状入浴剤を浴湯に投入するためにテトラパック包装体に開口部を形成させる必要があり、そのために切取り部やシール部を設けるとよい。また前記のテトラパック包装体のサイズであれば、開口面積は０．５〜２ｃｍ２程度とするのがよい。
【００１０】
なお本発明の入浴用製品は前記のものに限られるものではなく、テトラパック包装体のサイズ、粉状入浴剤の収納量、開口面積等は適宜変更できるものである。
【００１１】
本発明の粉状入浴剤は、入浴剤に用いられる各種成分の１種又は２種以上を組合せて前記のように調製された入浴剤組成物を適宜用いることができる。このような各種成分として具体的には以下のものが挙げられる。
【００１２】
・無機塩類
炭酸ナトリウム、炭酸カルシウム、炭酸マグネシウム、重質炭酸マグネシウム、炭酸水素ナトリウム、セスキ炭酸ナトリウム等の炭酸塩；塩化ナトリウム、塩化カリウム、塩化アンモニウム等の塩化物；硫酸ナトリウム、硫酸アルミニウム、硫酸鉄、チオ硫酸ナトリウム、チオ硫酸カリウム、次亜硫酸ナトリウム等の硫酸塩；硝酸ナトリウム、硝酸カリウム、硝酸カルシウム等の硝酸塩；リン酸ナトリウム、ポリリン酸ナトリウム、リン酸水素カルシウム等のリン酸塩；イオウ、硫化ナトリウム、硫化カリウム、亜硫化鉄等の硫化物；無水ケイ酸、メタケイ酸、雲母末、中性白土等のケイ素化合物；水酸化ナトリウム、水酸化カルシウム等の水酸化物；ホウ砂、ホウ酸、酸化カルシウム、臭化カリウム、過マンガン酸カリウム、人工カルス塩、鉱泉、鉱砂、湯の花等。
【００１３】
・有機酸類
リンゴ酸、クエン酸、コハク酸、フマル酸、酒石酸、ピロリドンカルボン酸等。
【００１４】
・油性成分類
ヌカ油、オリーブ油、大豆油、流動パラフィン、白色ワセリン、ステアリルアルコール、ミリスチン酸、ラウリン酸、パルミチン酸、モノグリセライド、トリグリセライド、米ぬかエキス、米胚芽油、米発酵エキス、セラミド、シリコーン等。
【００１５】
・水溶性高分子類
カルボキシメチルセルロース、スチレン重合体エマルション、高重合ポリエチレングリコール、デキストリン、カゼイン、卵黄油等。
【００１６】
・薬効成分類
ｄ１−メントール、１−メントール、ｄ−カンフル、ｄ１−カンフル、サリチル酸メチル、サリチル酸、サリチル酸ナトリウム、安息香酸等。
【００１７】
・酵素類
トリプシン、α−キモトリプシン、プロメライン、パパイン、プロテアーゼ、プロクターゼ、セラチオペプチダーゼ、リゾチーム、プロメライン、フイシン等。
【００１８】
・香料（精油）類
アニス油、アルモイス油、バジル油、ベイ油、ベルガモット油、カナンガ油、キャラウェ油、キャロットシード油、シダーウッド油、セレリーシード油、シナモンバーク油、シトロネラ油、クレーセージ油、クローブ油、コリンダー油、ユーカリプトス油、フェンネルスイート油、ジェラニウム油、ジュニパーベリー油、ラバンディン油、ラベンダー油、ラウレル油、レモン油、レモングラス油、ライム油、マンダリン油、ナツメッグ油、オレンジ油、パチュリー油、ペッパー油、ペパーミント油、パインニードル油、ローズ油、ローズマリー油、サンダルウッド油、スペアーミント油、チーム油、ベチパー油等の天然香料；アセトフェノン、アセチルセドレン、アリルアミルグリコール、アリルカプレート、α−アミルシンナミックアルデヒド、アネトール、アニスアルデヒド、アニスアルコール、ベンジルアセテート、ベンジルアルコール、ベンジルプロピオネート、ボルネオール、ブチルアセテート、ブチルブチレート、ブチルシクロヘキシルアセテート、カンファー、カルボン、セドリーアセテート、シンナミルアセテート、シンナミルアルコール、シンナミックアルデヒド、シトラール、シトロネラール、シトロネロール、シトロネラリーアセテート、クレシルアセテート、クミンアルデヒド、シクラメンアルデヒド、β−ダマスコン、デカナール、ジフェニールオキサイド、ドデカノール、エストラゴール、エチルブチレート、エチルカプレート、エチルシンナメート、エチルフェニルアセテート、エチルバニリン、エチレンブラッシレート、オイゲノール、ゲラニオール、ゲラニルアセテート、ヘリオトロピン、シス−３−ヘキサノール、α−ヘキシルシンナミックアルデヒド、ヒドロキシシトロネラール、インドール、イオノン、イソアミルアセテート、イソアミルサリシケート、イソアミルイソバレレート、イソボルニルアセテート、イソブチルフェニルアセテート、イソオイゲノール、シスージャスモン、リモネン、リナノール、１−メントール、１−メンチルアセテート、パラーメチルアセトフェノン、メチルアンソラニレート、メチルシンナメート、メチルパラークレゾール、メチルジヒドロジャスモネート、メチルオイゲノール、メチルイオノン、メチルβ−ナフチルケトン、メチルノニルアセトアルデヒド、メチルフェニルカルディナルアセテート、メチルサリシケート、ムスクケトン、β−ナフチルエチルエステル、β−ナフチルメチルエステル、ネロール、γ−ノナラクトン、フェニルアセトアルデヒド、β−フェニルエチルアセテート、ローズオキサイド、スカトール、テルピネオール、テルピネルアセテート、γ−ウンデカラクトン、ウンデセナール、バニリン、ベチバリルアセテート等の合成香料；アルデヒディックノート、アニスノート、バルサミックノート、シトラスノート、シトロネラノート、フレッシュノート、フローラルノート、フルーティーノート、グリーンノート、ハーバルノール、ハニーノート、パインノート、ジャスミンノート、ミントノート、ムスクノート、ネロリーノート、フェノリックノート、ロージーノート、スパイシーノート、ウッディーノート、バニラノート等の調合香料；カノコソウ、カミツレ、ガイヨウ、カンピ、ウイキョウ、ケイガイ、ケイヒ、ケイヒ油、ショウキョウ油、ジャスミン、センキュウ、ショウブ、ショウブ油、ソウジュツ、テレビン油、チンピ、トウキ、トウヒ、トウヒ油、ドクカツ、ビャクシン、ヒノキ油、パイン油、ハッカ、ハッカ油、ベルガモット油、マツブサ、ラベンダー油、リュウノウ、オウゴン、サフラン、ジュウヤク、ニンジン、オウバクエキス、コウボク、シャクヤク、サンシン等。
【００１９】
・顔料類
酸化チタン、タルク、ベンガラ、黄酸化鉄、ケイ酸マグネシウム、マイカ、雲母、チタン、炭酸カルシウム、炭酸マグネシウム、二酸化チタン、無水ケイ酸、酸化亜鉛、これらの被覆粒（顆粒）、これらの比重を１未満に調整して、浴槽の底に沈降しないように調整したもの等。
【００２０】
・美白成分類
ビタミンＥフェニル酸エステル、ビタミンＣおよびその誘導体、エラグ酸、コウジ酸、α−ヒドロキシ酸、ヒアルロン酸（ニワトリのトサカ抽出物）等。
【００２１】
・色素類
青色１号、青色２号、青色２０２号、赤色１０６号、赤色２号、黄色５号、黄色４号、黄色２０２号の（１）、緑色３号、橙色２０５号、黄色２０２（１）号、緑色２０４号、緑色２０１号、赤色１０２号、青色２号、橙色２０５号、赤色３号などの厚生省令タール色素別表ＩおよびＩＩの色素；クロロフィル、リボフラビン、アンナット、アントシアニン、リコピン等の食品添加物として認められている天然色素等。
【００２２】
・イオウ類
イオウ、チオ硫酸ナトリウム、チオ硫酸カルシウム、チオ硫酸カリウム、硫化カルシウム、重硫化カルシウム、硫化カリウム、硫化ナトリウム、硫化アンモニウム、硫化バリウム、硫化亜鉛、硫化すず、硫化アンチモン、硫化鉄、二硫化炭素、硫化リン等。
【００２３】
・皮脂分泌促進成分類
分岐脂肪酸コレステリルエステル、Ｙ−オリザノール、ヨクイニンもしくはヨクイニン抽出物等。
【００２４】
・ビタミン類
ビタミンＡ若しくはそのアセテート等の低級脂肪酸エステル；ビタミンＢ２若しくはそのテトラブチレート等の低級脂肪酸エステル；ビタミンＢ６若しくはそのジアシレート等の低級脂肪酸エステル；ビタミンＣ若しくはそのモノ−あるいはジ−アシレート等の低級脂肪酸エステル又はそのリン酸エステル塩；ビタミンＤ（特にビタミンＤ２）；ビタミンＥ若しくはそのアセテート等の低級脂肪酸エステル；ビタミンＦ、ビタミンＨ、パントテン酸、ニコチン酸又はその誘導体、ビタミンＥニコチン酸エステル、イノシット等。
【００２５】
・海藻抽出物類
アナアササ、ミル、ウスバアオノリ、ヒトニグサ、スジアオノリ、カサノリ、ヘライワツダ、ハネモ、ナガミル等の緑藻植物；ウミウチワ、アミジグサ、モズク、イロロ、マツモ、イワヒゲ、ハバノリ、ウルシグサ、カジメ、マコンブ、ワカメ、トロロコンブ、ヒジキ、アラメ、ホンダワラ、ウミトラノオ、スギモリ、オオバモリ等の褐藻植物；アルバアマノリ、アサクサノリ、スサビノリ、ウミゾウメン、ヒラクサ、マクサ、トリアシ、ハナフノリ、フクロフノリ、トリアシ、ヒカデノリ、トサカノリ、トゲキリンサイ、アカバギンナンソウ、コトジツノマタ、ツノマタ、アヤニシキ、マクリ、エゴノリ、オゴノリ、イバラノリ等の紅藻植物等から得られる抽出物等。
【００２６】
・リチウム化合物類
炭酸リチウム、クエン酸リチウム、硫酸リチウム、アスパラギン酸リチウム、グルタミン酸リチウム、硝酸リチウム、沃化リチウム、グルコン酸リチウム、酢酸リチウム、塩化リチウム、アジピン酸リチウム等。
【００２７】
・冷感物質類
Ｌ−メントール、カンファー、チモール等のメントール誘導体；単環式化合物、二環式アルコール、三環式アルコール、三環式アミド等。
【００２８】
・保湿成分類
乳酸ナトリウム、酒石酸二ナトリウム、ピロリドンカルボン酸ナトリウム、グルタミン酸二ナトリウム等の有機酸塩類；イソプレングリコール、プロピレングリコール、１，３−ブチレングリコール、グリセリン（濃グリセリン）、キシロース、キシリトール、ソルビトール等の多価アルコール類；ポリエチレングリコール、ポリビニルアルコール、アルギン酸ナトリウム、ポリビニルピロリドン等の水溶住高分子；大豆、トウモロコシ、ニンジン等から得られる植物コラーゲン（エクステンシン等）；サケ、フグ、マグロ、ヒラメ等から得られるマリンコラーゲン；前記コラーゲンの誘導体、類似物質、加水分解物、加工物質、精製物質等；核酸（ＤＮＡ、ＲＮＡ）、エラスチン等の蛋白質、ケラチン、ヒブロイン及びその加水分解物、アクアインプール等。
【００２９】
・ガス発生物質類
液化酸素、液化チッ素、液化炭酸等の液化ガス；ドライアイス等の水中でガスを発生するもの；過炭酸ソーダ等の水中で酸素ガスを発生するもの；アミノカルボン酸、ギ酸、酢酸、プロピオン酸、酪酸、吉草酸などの直鎖脂肪酸；シュウ酸、マロン酸、コハク酸、グルタル酸、アジピン酸、ピメリン酸、マレイン酸、フタル酸、イソフタル酸、テレフタル酸などのジカルボン酸；グルタミン酸、アスパラギン酸などの酸性アミノ酸；グルコール酸、乳酸、ヒドロキシアクリル酸、α−オキシ酪酸、グリセリン酸、タルトロン酸、リンゴ酸、酒石酸、クエン酸、サリチル酸、没食子酸、マンデル酸、トロパ酸、アスコルビン酸、グルコン酸等のオキシ酸；ケイ皮酸、安息香酸、フェニル酢酸、ニコチン酸、カイニン酸、ソルビン酸、ピロリドンカルボン酸、トリメリット酸、ベンゼンスルホン酸、トルエンスホン酸等の有機酸；リン酸、リン酸二水素カリウム、リン酸二水素ナトリウム、亜硫酸ナトリウム、亜硫酸カリウム、ピロ亜硫酸ナトリウム（メタ重亜硫酸ナトリウム）、ピロ亜硫酸カリウム（メタ重亜硫酸カリウム）、酸性ヘキサメタリン酸ナトリウム、酸性ヘキサメタリン酸カリウム、酸性ピロリン酸ナトリウム、酸性ピロリン酸カリウム、スルファミン酸等の無機酸等の酸と、炭酸水素ナトリウム、炭酸ナトリウム、セスキ炭酸ナトリウム、炭酸水素カリウム、炭酸カリウム、セスキ炭酸カリウム、炭酸水素アンモニウム塩、炭酸アンモニウム塩、セスキ炭酸アンモニウム塩等の炭酸塩との反応により水中で炭酸ガスを発生するもの；硫酸ナトリウム、硫酸カリウム、硫酸水素ナトリウム、硫酸水素カリウム、亜硫酸ナトリウム、亜硫酸カリウム、これらの無水物等からなる硫酸塩、塩化ナトリウム等の塩酸塩やクエン酸ナトリウム、酸化マグネシウム、メタホウ酸等。
【００３０】
・防錆剤類
ピロリン酸、トリリン酸、トリメタリン酸、テトラメタリン酸等の重合リン酸系化合物のナトリウム、カリウム、アンモニウム塩；ケイ酸のナトリウム、カリウム若しくはリチウム塩、オルトケイ酸ナトリウム、メタケイ酸ナトリウム、二ケイ酸ナトリウム、四ケイ酸ナトリウム等のケイ酸塩；亜硝酸ナトリウム、アンモニウム、カリウム若しくはリチウム塩等の亜硝酸塩；ホウ酸ナトリウム、カリウム若しくはリチウム塩等のホウ酸塩等の無機系防錆剤；フイチン酸、ベンゾトリアゾール、２−メルカブトチアゾール、オレイン酸、リノール酸、リノレン酸、アルケニルコハク酸、２−アルキル−Ｎ−カルボキシメチル−Ｎ−ヒドロキシエチルイミダゾリウムベタイン、脂肪族高級アミン、Ｎ−アルキル（炭素数８乃至２０）−Ｎ−メチル−β−アラニンアルカリ金属塩、炭素数８乃至２０の脂肪酸ジエタノールアミド、炭素数８乃至２０のアルキルサルコシンアルカリ金属塩、有機リン酸塩系、ソルビタン脂肪酸（炭素数８乃至２０）エステル等の有機系防錆剤等。
【００３１】
・白濁化剤類
乳清、カゼイン、ミルク等。
【００３２】
・その他
ブドウ糖、ショ糖、トレハロース、フィトコラージュ、イソフラボン、グリチルリチン酸塩およびその誘導体、グリチルレチン酸塩およびその誘導体、パラオキシ安息香酸エステル、イソプロピルメチルフェノール、野菜又は果実抽出物（エキス）、精製水、イオン水、海洋深層水、ヒアルロン酸、ヒアルロン酸−蛋白複合体、コンドロイチン硫酸、コンドロイチン４硫酸、コンドロイチン６硫酸、コンドロイチン４，６硫酸、デルマタン硫酸、デルマタン４，６硫酸、ケラタン硫酸、ヘパラン硫酸、キチン等と、これらの塩類並びに誘導体等のムコ多糖；グルコサミン、マンノサミン、ノイラミン酸、ガラクトサミン、Ｎ−アセチルグルコサミン、Ｎ−アセチルマンノサミン等のアミノ糖；日本酒、ワイン等の醸造酒等。
【００３３】
これらの成分の配合量を例示すると、イオウ類は０．００１〜５重量％、好ましくは０．００１〜１重量％；皮脂分泌促進成分類は０．１〜５重量％、好ましくは０．５〜２重量％；ビタミン類、海藻抽出物類、生薬類、リチウム化合物類、酵素類、冷感物質類、保湿成分類は０．００１〜１０重量％、好ましくは０．０１〜２重量％；防錆剤類は０．０５〜１０重量％、好ましくは０．１〜５重量％が挙げられる。
【００３４】
前記したこれらの成分は、ゼラチンや高分子物質等の公知の物質から形成されたマイクロカプセルに保持（収容）させたり、その表面を被覆して安定性や効果に持続性を持たせたものでもよい。
【００３５】
【実施例】
以下に実施例によって本発明をさらに詳しく説明するが、本発明はこれらに限定されるものではない。
【００３６】
試験例１
芒硝（５０．３７ｇ）、重曹（４９．４０ｇ）、アロエエキス散（０．２０ｇ）及び黄色２０２（１）号（０．０３ｇ）を混合攪拌し、さらに表１に記載した粒径とした粉状入浴剤をした。次に前記の粉状入浴剤３０ｇをアルミ蒸着フィルム製のテトラパック包装体（一辺６．５ｃｍ、容積３３ｃｍ３）に収納し入浴用製品とした。ここでは空隙は３０％とした。
【００３７】
そして入浴用製品を４０℃、２００Ｌの浴湯に投入して、包装体内に残った粉状入浴剤（ｇ）、スムーズな投入ができるか、浴湯への溶解性について評価した。試験は５回繰り返して行った。
【００３８】
【表１】
2004352703.tif 000002
【００３９】
試験の結果は表２に記載したとおり、テトラパック型包装体に粉状入浴剤を収納した入浴用製品では、粉状入浴剤が２０メッシュをパスし、かつ９０重量％以上が１５０メッシュにオンする粒径からなるものが包装体内の残量がほとんどなく、浴湯に投入しやすく、浴湯への溶解性もよいものであった。
【００４０】
【表２】
2004352703.tif 000003
【００４１】
試験例２
実施例１の入浴用製品を５０℃条件下で３ヶ月保管し、粉状入浴剤の固結の有無について確認を行った。比較例４として、実施例１に用いたのと同じ粉状入浴剤を従来の分包袋（アルミ蒸着したフィルムの袋）に３０ｇ収納したものを用いた。試験には各２０検体を用いて、固結の見られた検体数を確認した。
【００４２】
試験の結果、実施例１は固結した検体はなかったが、比較例４は１２検体で固結が見られた。
【００４３】
製造例
以下に本発明の入浴用製品の製造例を示すが、本発明はこれらに限定されるものではない。
【００４４】
製造例１
以下の組成からなる粉末状入浴剤３０ｇを調製し、ＰＰアルミ蒸着フィルム製のテトラパック包装体（一辺７．５ｃｍ、容積５０ｃｍ３）に収納した。粉状入浴剤の粒径は、２０メッシューパス、かつ１５０メッシューオンが９３重量％、１５０メッシューパスが７重量％とした。また包装体での空隙は５０％となるように収納した。
（組成）                        （重量％）
乾燥硫酸ナトリウム              ４９．４０
炭酸水素ナトリウム              ４９．４０
アロエエキス散                    ０．２０
黄色２０２（１）号                ０．０３
ハーブノート香料                  ０．９７
合計                          １００．００
【００４５】
製造例２
以下の組成からなる粉末状入浴剤３０ｇを調製し、ＰＰシリカ蒸着フィルム製のテトラパック包装体（一辺６．５ｃｍ、容積３３ｃｍ３）に収納した。粉状入浴剤の粒径は、２０メッシューパス、かつ１５０メッシューオンが９１重量％、１５０メッシューパスが９重量％とした。また包装体での空隙は３０％となるように収納した。
（組成）                        （重量％）
炭酸水素ナトリウム              ９８．８５
ショウキョウエキス散              ０．１０
赤色１０２号                      ０．０５
フローラルノート香料              １．００
合計                          １００．００
【００４６】
製造例３
以下の組成からなる粉末状入浴剤５０ｇを調製し、ＰＰアルミ蒸着フィルム製のテトラパック包装体（一辺８ｃｍ、容積６０ｃｍ３）に収納した。粉状入浴剤の粒径は、２０メッシューパス、かつ１５０メッシューオンが９４重量％、１５０メッシューパスが６重量％とした。また包装体での空隙は３３％となるように収納した。
（組成）                        （重量％）
乾燥硫酸ナトリウム              ２０．００
炭酸水素ナトリウム              ３０．００
炭酸ナトリム                    ２０．００
リンゴ酸                        ２８．９０
黄色４号                          ０．１０
シトラスノート香料                １．００
合計                          １００．００
【００４７】
製剤例
以下に本発明の入浴用製品に用いることができる粉状入浴剤の製剤例（組成例）を示すが、本発明はこれらに限定されるものではない。
【００４８】
製剤例１
（組成）                        （重量％）
乾燥硫酸ナトリウム              ６７．９０
炭酸水素ナトリウム              ３０．００
加水分解コラーゲン末              １．００
黄色４号                          ０．１０
フローラルノート香料              １．００
合計                          １００．００
【００４９】
製剤例２
（組成）                        （重量％）
炭酸水素ナトリウム              ９７．７７
Ｌ−メントール                    １．００
サリチル酸                        ０．２０
青色１号                          ０．０３
シトラスノート香料                １．００
合計                          １００．００
【００５０】
製剤例３
（組成）                        （重量％）
乾燥硫酸ナトリウム              ４７．９７
炭酸水素ナトリウム              ４８．００
センキュウエキス散                ０．５０
カッコンエキス散                  ０．５０
トウキエキス散                  １．５０
ガイヨウエキス散                  ０．５０
黄色２０２（１）号                ０．０３
ハーバルノート香料                １．００
合計                          １００．００
【００５１】
製剤例４
（組成）                        （重量％）
乾燥硫酸ナトリウム              ３０．００
炭酸水素ナトリウム              ３０．００
炭酸ナトリウム                  １０．００
フマル酸                        ２８．００
ラベンダーエキス                  １．００
マリーンノート香料                １．００
合計                          １００．００
【００５２】
製剤例５
（組成）                        （重量％）
乾燥硫酸ナトリウム              ４０．００
炭酸水素ナトリウム              １９．００
炭酸ナトリウム                  １５．１５
フマル酸                        ２０．５０
酸化チタン                        ５．００
青色１号                          ０．０５
ウッディーノート香料              ０．３０
合計                          １００．００
【００５３】
製剤例６
（組成）                        （重量％）
硫酸マグネシウム                ４４．５０
硫酸ナトリウム                  ５０．００
リンゴ酸                          ０．２０
黄杞エキス                        ０．５０
酸化チタン                        ４．００
フローラルノート香料              ０．８０
合計                          １００．００
【００５４】
製剤例７
（組成）                        （重量％）
炭酸水素ナトリウム              ９６．９８
明礬                              １．００
Ｌ−メントール                    １．００
オーツ麦エキス散                  ０．２０
青色１号                          ０．０２
ハーバルノート香料                ０．８０
合計                          １００．００
【００５５】
製剤例８
（組成）                        （重量％）
乾燥硫酸ナトリウム              ５０．００
炭酸水素ナトリウム              ４３．００
加水分解コラーゲン末              １．００
酸化チタン                        ５．００
シトラスノート香料                １．００
合計                          １００．００
【００５６】
【発明の効果】
本発明によって、粉状入浴剤が浴湯に投入しやすく、保存中に固結が起こりにくい入浴用製品を提供することができる。またテトラパック形状であることから、置いた時に安定感、ボリューム感があり、商品価値を高めることができる。